(57)【特許請求の範囲】
【請求項１】
後方に向けて放出される小便を受ける上受け面を有する上受け部と、
前記上受け面を流下する小便を受ける下受け面を有する下受け部と、を備え、
前記下受け部は、空気を吸入するための吸入口及び上方に向けて空気を噴出するための噴出口としての下噴出口を有し、
前記上受け部は、前記上受け面より上方に前記上受け面より前方に突出する上突出部を有し、前記上突出部は前記噴出口として下方に向けて空気を噴出するための上噴出口を有し、
前記吸入口から空気を吸入させる吸引装置及び前記噴出口から空気を噴出させる噴出装置を備えることを特徴とする小便器。
【請求項２】
後方に向けて放出される小便を受ける上受け面を有する上受け部と、
前記上受け面を流下する小便を受ける下受け面を有する下受け部と、を備え、
前記下受け部は、空気を吸入するための吸入口及び空気を噴出するための噴出口を有し、前記吸入口は、前記下受け部に形成される排水路の内側面に形成されており、
前記吸入口から空気を吸入させる吸引装置及び前記噴出口から空気を噴出させる噴出装置を備え、
前記吸入口と前記噴出口とを接続する流路を備えることを特徴とする小便器。
【請求項３】
後方に向けて放出される小便を受ける上受け面を有する上受け部と、
前記上受け面を流下する小便を受ける下受け面を有する下受け部と、を備え、
前記下受け部は、空気を吸入するための吸入口及び前記下受け部の前面に形成される排出口を有し、前記吸入口は、前記下受け部に形成される排水路の内側面に形成されており、
前記吸入口と前記排出口とを接続する吸入流路が設けられ、前記吸入流路に前記吸入口から空気を吸入させる吸引装置を備えることを特徴とする小便器。
【発明の詳細な説明】
【技術分野】
【０００１】
本発明は、小便器に関する。
【背景技術】
【０００２】
従来、後方に向けて放出される小便を受ける小便器が知られている（例えば特許文献１参照）。
【先行技術文献】
【特許文献】
【０００３】
【特許文献１】特開平７−２０７７４０号公報
【発明の概要】
【発明が解決しようとする課題】
【０００４】
このような小便器にあっては、小便が小便器に衝突して跳ね返り、小便器から小便が飛散しやすいものであった。
【０００５】
本発明は上記従来の問題点に鑑みて発明したものであって、小便器から小便が飛散しにくい小便器を提供することにある。
【課題を解決するための手段】
【０００６】
本発明に係る小便器は、後方に向けて放出される小便を受ける上受け面を有する上受け部を備える。前記上受け面を流下する小便を受ける下受け面を有する下受け部を備える。前記下受け部は、空気を吸入するための吸入口を有し、前記吸入口から空気を吸入させる吸引装置を備える。
【発明の効果】
【０００７】
本発明に係る小便器にあっては、小便が飛散しにくい。
【図面の簡単な説明】
【０００８】
【図１】図１は、本発明の第１実施形態に係る小便器の斜視図である。
【図２】図２は、同上の小便器の縦断面図である。
【図３】図３は、同上の小便器の水平断面図である。
【図４】図４は、同上の小便器の制御部に関するブロック図である。
【図５】図５は、本発明の第２実施形態に係る小便器の縦断面図である。
【図６】図６は、本発明の第３実施形態に係る小便器の縦断面図である。
【図７】図７は、本発明の第４実施形態に係る小便器の縦断面図である。
【発明を実施するための形態】
【０００９】
以下、第１実施形態〜第４実施形態に係る、後方に向けて放出される小便を受ける小便器１について説明する。
【００１０】
第１実施形態に係る小便器１について図１〜図４に基いて説明する。
【００１１】
図１、図２に示すように、小便器１は、後方Ｂに向けて放出される小便を受ける上受け部２と、主に上受け部２から流下する小便を受ける下受け部３と、を備える。
【００１２】
上受け部２は、後方Ｂに向けて放出される小便を受ける上受け面２０を有する。ここで、図２、図３に示すように、便宜上、上受け面２０が向く方を前方Ｆとするとともにその反対を後方Ｂとし、前方Ｆを向いたときの左右をそれぞれ左方Ｌおよび右方Ｒと定義する。
【００１３】
上受け面２０は、設計上、上受け面２０の前方Ｆに立つ小用を足す者（以下、使用者という）が、後方Ｂに向けて小便を放出する際に、小便を受けることができる高さに設けられる。使用者から上受け面２０までの距離は、設計上、２０ｃｍ〜３０ｃｍ程度である。そして、上受け面２０の前方Ｆに前記距離をあけて立った使用者が小用を足す際に、上受け面２０が小便を受けられる高さに、上受け面２０が設けられる。第１実施形態では、上受け面２０の下端の高さが、小便器１が設けられる場所の床から３０ｃｍ程度の高さであり、上受け面２０の上端の高さが、小便器１が設けられる場所の床から１００ｃｍ程度の高さである。上受け面２０は、概ね前方Ｆを向くものである。第１実施形態では、図３に示すように、上受け面２０の水平断面形状が凹状をしており、上受け面２０は、左方Ｌへ行くほど、向く方向が右方Ｒへ傾き、右方Ｒへ行くほど、向く方向が左方Ｌへ傾いている。
【００１４】
下受け部３は、上受け面２０を流下する小便および下方に落下する小便を受ける下受け面３０を有する。下受け部３は、上受け面２０よりも前方Ｆに位置して上方に開放する下受け開口３１を有する。下受け部３は、図１、図２に示すように、第１実施形態では平面視において円形状または楕円形状等のボウル状をなすものである。下受け面３０は、上受け面２０と連続している。
【００１５】
小便器１は、洗浄水供給装置１１を備えており、以下に洗浄水供給装置１１について説明する。小便器１は、洗浄水を上受け面２０の内面に流下させる吐水部１２を備えている。吐水部１２は、上受け面２０の上端部に設けられている。
【００１６】
第１実施形態の小便器１は、給水路１３を備えている。給水路１３は水源に接続されており、給水路１３には水源から洗浄水として用いられる水が供給される。給水路１３の下流端は、吐水部１２に接続されており、吐水部１２には給水路１３から洗浄水が供給される。第１実施形態の吐水部１２は、給水路１３から供給された洗浄水を下方ほど左右方向に広がるように吐出する複数の吐出口１５を有するスプレッダーである。
【００１７】
第１実施形態の小便器１は、上受け面２０を自動洗浄する小便器１である。小便器１は、図４に示すように、開閉弁１４と、人体検知部１６と、制御部１７とを備えている。
【００１８】
開閉弁１４は給水路１３に設けられており、開閉弁１４は例えば電磁弁により構成される。
【００１９】
人体検知部１６は小便器１に設けられている。人体検知部１６は、上受け部２の上端部の近傍（吐水部１２の上）に設けられているが、設けられる位置は限定されない。人体検知部１６はたとえば赤外線センサーであり、小便器１の前方Ｆに使用者が存在するか否かを検知する。
【００２０】
開閉弁１４、人体検知部１６および後述する吸引装置５、噴出装置７、装置９は、制御部１７に電気的に接続されている。制御部１７は人体検知部１６で検知した検知情報に基づいて開閉弁１４を開閉させたり、吸引装置５、噴出装置７、装置９を作動させるように制御する。
【００２１】
使用者が小便器１を利用するにあたって小便器１の前方Ｆに立ったとき、人体検知部１６により、小便器１の前方Ｆに使用者が存在することが検知される。また、使用者が小便器１で小用を足した後、小便器１の前方Ｆから立ち去ったとき、人体検知部１６により、小便器１の前方Ｆに使用者が存在しないことが検知される。
【００２２】
制御部１７は、上述のように人体検知部１６によって使用者が存在することを検知した後に使用者が存在しないことを検知した場合、開閉弁１４を開く。これにより、小便器１の吐水部１２に給水路１３から洗浄水が供給され、吐水部１２から使用者が小用を足した後に洗浄水が吐出されて、上受け面２０および下受け面３０が洗浄される。
【００２３】
制御部１７は、開閉弁１４を開いてから所定時間が経過した時点で、開閉弁１４を閉じる。このように開閉弁１４が閉じると、給水路１３から吐水部１２への洗浄水の供給が止まり、吐水部１２からの洗浄水の吐出が止まる。以上が第１実施形態の洗浄水供給装置１１についての説明であるが、洗浄水供給装置１１は上述したものに限定されない。
【００２４】
下受け部３は、排水路３２を有している。下受け面３０の下端部近傍に形成される排水口３３が排水路３２の上流端となる。排水口３３より、小便および吐水部１２から吐出された洗浄水が排出される。排水路３２の下流端に、下水管に通じる排水管３９が接続されている。排出口３６には、着脱可能に目皿３７が設けられる。
【００２５】
下受け部３は、そのボウル状をした内部の空気を吸入するための吸入口４０を有するとともに、小便器１は、吸入口４０から空気を吸入させる吸引装置５を備えるものである。
【００２６】
図２に示すように、第１実施形態では、下受け部３の排水路３２の内側面３４に吸入口４０が形成されている。下受け部３の前面３５に排出口３６が形成されている。吸入口４０と排出口３６とを接続する吸入流路４が設けられている。吸入流路４に、吸引装置５としてのファンが設けられている。さらに、吸入流路４の吸引装置５よりも上流側（吸入口４０側）に、フィルター５１が設けられている。
【００２７】
吸引装置５は、図４に示すように、制御部１７に電気的に接続されている。制御部１７は人体検知部１６で検知した検知情報に基づいて吸引装置５を制御する。
【００２８】
使用者が小便器１を利用するにあたって、小便器１の前方Ｆに立って人体検知部１６により検知されると、制御部１７が吸引装置５を作動させる。これにより、図２の矢印に示すように、空気が吸入口４０より吸引される。
【００２９】
使用者が小用を足した後に小便器１の前方Ｆから立ち去って、人体検知部１６により小便器１の前方Ｆに使用者が存在しないことが検知されると、制御部１７は、吸引装置５を停止させる。
【００３０】
第１実施形態の小便器１では、図２に示すように、使用者が小便器１の前方Ｆに立って後方Ｂに小便を放出すると、小便が上受け面２０に衝突する。上受け面２０に衝突した小便は、一部が上受け面２０で跳ね返り、小便器１から前方Ｆへ飛散しようとする。このとき、図２の矢印に示すように空気が吸入口４０より吸引されると、小便器１から前方Ｆへ飛散しようとする小便は空気とともに下方に引かれ、小便器１から前方Ｆへ飛散しにくくなる。これにより、小便が小便器１から前方Ｆへ飛散して、小便器１のまわりが汚れるのが抑えられる。
【００３１】
次に、第２実施形態について図５に基いて説明する。第２実施形態では、第１実施形態の吸入流路４のかわりに流路８（下噴出流路８１）が設けられるとともに、これらに付随する構成がかわるもので、その他の構成は第１実施形態の構成と同じであるため、同符号を付して説明を省略する。
【００３２】
第２実施形態では、図５に示すように、小便器１は、空気を噴出するための噴出口６を有するとともに、噴出口６から空気を噴出させる噴出装置７を備える。吸引装置５および噴出装置７は、制御部１７に電気的に接続されて制御される。
【００３３】
第２実施形態では、下受け部３の排水路３２の内側面３４に吸入口４０が形成されている。下受け部３の吸入口４０より前方Ｆの位置に、噴出口６として、上方かつ後方に向けて空気を噴出するための下噴出口６１を有している。そして、吸入口４０と噴出口６（下噴出口６１）とを接続する流路８（下噴出流路８１）を備える。
【００３４】
下噴出流路８１に、吸引装置５と噴出装置７とを兼用する装置９としてのファンを備えている。装置９は、制御部１７に電気的に接続されて制御される。下噴出流路８１の装置９よりも上流側（吸入口４０側）に、フィルター９１が設けられている。
【００３５】
第２実施形態の小便器１では、使用者が小用を足すときに、図５の矢印に示すように、空気が下噴出口６１より噴出されるとともに空気が吸入口４０より吸引される。使用者が放出して上受け面２０で跳ね返り、小便器１から前方Ｆへ飛散しようとする小便は、下噴出口６１より上方かつ後方Ｂに向けて噴出される空気により前方Ｆへ飛散しにくくなる。これにより、小便が小便器１から前方Ｆへ飛散して、小便器１のまわりが汚れるのが抑えられる。
【００３６】
なお、第２実施形態では、下噴出流路８１が吸入流路４を兼用するものであるが、下噴出流路８１と吸入流路４とが別々に設けられてもよい。この場合、下噴出流路８１の入口と吸入流路４の吸入口４０が別々に設けられる。さらに、吸入流路４に吸引装置５が設けられ、下噴出流路８１に噴出装置７が設けられる。
【００３７】
また、下噴出口６１は、空気の噴出方向が上方であってもよいし、後方Ｂであってもよいし、上方と後方Ｂの間の９０°の範囲内であってもよい。
【００３８】
次に、第３実施形態について図６に基いて説明する。第３実施形態では、第１実施形態の吸入流路４のかわりに上噴出流路８２が設けられるとともに、これらに付随する構成がかわるもので、その他の構成は第１実施形態の構成と同じであるため、同符号を付して説明を省略する。
【００３９】
第３実施形態では、図６に示すように、小便器１は、空気を噴出するための噴出口６を有するとともに、噴出口６から空気を噴出させる噴出装置７を備える。上受け部２が、上受け面２０より上方に上受け面２０より前方Ｆに突出する上突出部２１を有し、上突出部２１は、噴出口６として、下方に向けて空気を噴出するための上噴出口６２を有する。
【００４０】
第３実施形態では、下受け部３の排水路３２の内側面３４に吸入口４０が形成されている。吸入口４０と噴出口６としての上噴出口６２とを接続する流路８として上噴出流路８２を備える。
【００４１】
上噴出流路８２に、吸引装置５と噴出装置７とを兼用する装置９としてのファンを備えている。装置９は、制御部１７に電気的に接続されて制御される。上噴出流路８２の装置９よりも上流側（吸入口４０側）に、フィルター９１が設けられている。
【００４２】
第３実施形態の小便器１では、使用者が小用を足すときに、図６の矢印に示すように、空気が上噴出口６２より噴出されるとともに空気が吸入口４０より吸引される。使用者が放出して上受け面２０で跳ね返り、小便器１から前方Ｆへ飛散しようとする小便は、上噴出口６２より下方に向けて噴出される空気により前方Ｆへ飛散しにくくなる。これにより、小便が小便器１から前方Ｆへ飛散して、小便器１のまわりが汚れるのが抑えられる。
【００４３】
なお、第３実施形態では、上噴出流路８２が吸入流路４を兼用するものであるが、上噴出流路８２と吸入流路４とが別々に設けられてもよい。この場合、上噴出流路８２の入口と吸入流路４の吸入口４０が別々に設けられる。さらに、吸入流路４に吸引装置５が設けられ、上噴出流路８２に噴出装置７が設けられる。
【００４４】
また、上噴出口６２からの空気の噴出方向が、下方と後方Ｂの間の９０°の範囲内であってもよいし、前方Ｆ側に傾いていてもよい。
【００４５】
次に、第４実施形態について図７に基いて説明する。第４実施形態では、第１実施形態の吸入流路４のかわりに下噴出流路８１および上噴出流路８２が設けられるとともに、これらに付随する構成がかわるもので、その他の構成は第１実施形態の構成と同じであるため、同符号を付して説明を省略する。
【００４６】
第４実施形態では、図７に示すように、小便器１は、空気を噴出するための噴出口６を有するとともに、噴出口６から空気を噴出させる噴出装置７を備える。
【００４７】
下受け部３の排水路３２の内側面３４に吸入口４０が形成されている。下受け部３の吸入口４０より前方Ｆの位置に、噴出口６として、上方に向けて空気を噴出するための下噴出口６１を有している。
【００４８】
上受け部２が、上受け面２０より上方に上受け面２０より前方Ｆに突出する上突出部２１を有し、上突出部２１は、噴出口６として、下方に向けて空気を噴出するための上噴出口６２を有する。
【００４９】
小便器１は、吸入口４０と噴出口６としての下噴出口６１とを接続する下噴出流路８１を備える。さらに、吸入口４０と噴出口６としての上噴出口６２とを接続する上噴出流路８２を備える。吸入口４０から分岐部８３までは、下噴出流路８１と上噴出流路８２の共通の流路８０となり、分岐部８３から下流側が分岐している。共通の流路８０に、吸引装置５と噴出装置７とを兼用する装置９としてのファンを備えている。装置９は、制御部１７に電気的に接続されて制御される。共通の流路８０の装置９よりも上流側（吸入口４０側）に、フィルター９１が設けられている。
【００５０】
第４実施形態の小便器１では、使用者が小用を足すときに、図７の矢印に示すように、空気が下噴出口６１および上噴出口６２より噴出されるとともに空気が吸入口４０より吸引される。使用者が放出して上受け面２０で跳ね返り、小便器１から前方Ｆへ飛散しようとする小便は、下噴出口６１より上方かつ後方Ｂに向けて噴出される空気および上噴出口６２より下方に向けて噴出される空気により前方Ｆへ飛散しにくくなる。これにより、小便が小便器１から前方Ｆへ飛散して、小便器１のまわりが汚れるのが抑えられる。
【００５１】
以下、第１実施形態〜第４実施形態において説明した各種の事項につき、さらに説明を加える。
【００５２】
小便器１は、樹脂で成形されてもよいし、陶器で成形されてもよく、材質は特に限定されない。また、たとえば小便器１が樹脂で成形される場合に内部に金属製の補強フレームが設けられてもよい。
【００５３】
使用者から上受け面２０までの設計上の距離が、２０ｃｍ未満であってもよいし、３０ｃｍを超えてもよい。
【００５４】
上受け面２０の下端の床からの高さが、３０ｃｍより低くてもよいし、３０ｃｍより高くてもよい。また、上受け面２０の上端の床からの高さが、１００ｃｍより低くてもよいし、１００ｃｍより高くてもよい。設計上想定される使用者が幼児か、身長の高い人か等により、上受け面２０の高さは適宜決められる。
【００５５】
小便器１は、床に載置されるものでもよいし、例えば後方Ｂの室壁に固定され、床から浮いた状態で設けられるものでもよい。
【００５６】
上受け面２０は、後方Ｂに向けて放出される小便を受けるものであるため、概ね前方Ｆを向くものであるが、厳密に前方Ｆを向く必要はなく、上受け面２０全体が前方Ｆを向く必要もない。また、上受け面２０の表面に凹凸が形成されていてもよく、この場合には表面の微小な領域が様々な方向を向くことになるが、構わない。すなわち、表面の凹凸の平均深さ（または高さ）がなす仮想的な面の向きが概ね前方Ｆを向いていれば、小便を受けるのに差し支えない。
【００５７】
また、上受け面２０は、水平方向よりも上側を向くものであってもよいし、水平方向よりも下側を向くものであってもよい。
【００５８】
下受け部３は、図１、図２に示すような平面視円形状または楕円形状に限定されない。
【００５９】
上受け面２０と下受け面３０は、厳密に区別される必要はない。
【００６０】
吐水部１２はスプレッダーでなくてもよく特に限定されない。
【００６１】
制御部１７が、吸引装置５、噴出装置７、装置９を作動させるタイミングおよび停止させるタイミングは限定されない。
【００６２】
以上、述べた第１実施形態〜第４実施形態から明らかなように、第１の形態の小便器１は、後方Ｂに向けて放出される小便を受ける上受け面２０を有する上受け部２を備える。上受け面２０を流下する小便を受ける下受け面３０を有する下受け部３を備える。下受け部３は、空気を吸入するための吸入口４０を有し、吸入口４０から空気を吸入させる吸引装置５を備える。
【００６３】
第１の形態によれば、空気が吸入口４０より吸引されることにより、小便器１から前方Ｆへ飛散しようとする小便は空気とともに下方に引かれ、小便器１から前方Ｆへ飛散しにくくなる。
【００６４】
第２の形態の小便器１は付加的なものであり、第１の形態との組み合わせにより実現される。第２の形態の小便器１は、空気を噴出するための噴出口６を有し、噴出口６から空気を噴出させる噴出装置７を備える。
【００６５】
第２の形態によれば、小便器１から前方Ｆへ飛散しようとする小便は、噴出口６より噴出される空気により、より一層、前方Ｆへ飛散しにくくなる。
【００６６】
第３の形態の小便器１は付加的なものであり、第２の形態との組み合わせにより実現される。第３の形態の小便器１は、下受け部３は、噴出口６としての下噴出口６１を有する。
【００６７】
第３の形態によれば、小便器１から前方Ｆへ飛散しようとする小便は、下噴出口６１より噴出される空気により、より一層、前方Ｆへ飛散しにくくなる。
【００６８】
第４の形態の小便器１は付加的なものであり、第２の形態または第３の形態との組み合わせにより実現される。第４の形態の小便器１は、上受け部２は、上受け面２０より上方に上受け面２０より前方Ｆに突出する上突出部２１を有し、上突出部２１は、噴出口６としての上噴出口６２を有する。
【００６９】
第４の形態によれば、小便器１から前方Ｆへ飛散しようとする小便は、上噴出口６２よ噴出される空気により、より一層、前方Ｆへ飛散しにくくなる。
【００７０】
第５の形態の小便器１は付加的なものであり、第２の形態〜第４の形態のいずれか一つとの組み合わせにより実現される。第５の形態の小便器１は、吸入口４０と噴出口６とを接続する流路８を備え、流路８に、吸引装置５と噴出装置７とを兼用する装置９を備える。
【００７１】
第５の形態によれば、小便器１の部材点数の削減、コンパクト化が図られる。
【符号の説明】
【００７２】
１    小便器
２    上受け部
２０  上受け面
２１  上突出部
３    下受け部
３０  下受け面
３１  下受け開口
４０  吸入口
５    吸引装置
６    噴出口
６１  下噴出口
６２  上噴出口
７    噴出装置
８    流路
９    装置
【図１】
0006709951.tif 000002
【図２】
0006709951.tif 000003
【図３】
0006709951.tif 000004
【図４】
0006709951.tif 000005
【図５】
0006709951.tif 000006
【図６】
0006709951.tif 000007
【図７】
0006709951.tif 000008